(57)【要約】【課題】生ごみが分解されて生成された汚水は汚濁分がかなり含まれている。また、多くのバイオ菌が含まれている。更に、槽内の水質環境を一定に維持するために大量の給水が必要であった。【解決手段】分解処理槽１と、分解処理槽１から取り出された分解液が網状フィルターに掛けられて網上に残った残渣と網下分解液とに分離される分離部２７と、網下分解液が取り出され、分解処理槽１に水かけ用に戻される戻し手段と、網下分解液の上澄みが排水用に取り出される汚水処理ピット５８を備える。従来は排出していた汚水を、バイオ菌を残したまま水質環境の維持用に必要な水に生まれ変わらせた上で処理槽へ戻す、循環方式になっており、節水、バイオ菌の繰り返し利用、及びある程度浄化した上での排水が可能となっている。【選択図】  図１
2020131168.tif 000002
【特許請求の範囲】
【請求項１】
バイオ菌が収容された内部で、投入された生ごみが水をかけられながら撹拌されることで分解液化される分解処理槽と、前記分解処理槽から取り出された分解液が網状フィルターに掛けられて網上に残った残渣と網下分解液とに分離される分離部と、前記網下分解液が取り出され、前記分解処理槽に水かけ用に戻される戻し手段と、前記網下分解液の上澄みが排水用に取り出される排出部を備えることを特徴とする生ごみ処理システム。
【請求項２】
請求項１に記載した生ごみ処理システムにおいて、
分解処理槽は多くの通液スリットが形成された仕切り板を介して上下に区画され、上部にバイオチップが収容されており、前記上部に生ごみが投入されると、分解液が前記通液スリットを介して下部に落下するよう構成されており、
給水により、前記下部に落下した前記分解液が希釈され分離部に向かって押し出されることを特徴とする生ごみ処理システム。
【請求項３】
請求項１または２に記載した生ごみ処理システムにおいて、
分離部の網状フィルターは容器状に構成され、且つ揺動可能に支持されており、揺動すると、残渣が残渣溜め部に落下して溜められることを特徴とする生ごみ処理システム。
【請求項４】
請求項１から３のいずれかに記載した生ごみ処理システムにおいて、
排出部には、左右方向に蛇行しながら上下方向に流通する蛇行流路が設けられていることを特徴とする生ごみ処理システム。
【請求項５】
請求項１から４のいずれかに記載した生ごみ処理システムにおいて、
分解処理槽と、分離部との間には、溜めタンクが介装されており、前記分解処理槽から分解液が取り出された後に前記溜めタンクに溜められ、前記溜めタンクから汲み上げられて前記分離部に移送されることを特徴とする生ごみ処理システム。
【発明の詳細な説明】
【技術分野】
【０００１】
本発明は、バイオ菌を利用して、野菜、肉、魚等の家庭で発生する調理屑や、ペットの糞、その他の生ごみを分解処理する生ごみ分解処理槽を中心として構築された生ごみ処理システムに関するものである。
【背景技術】
【０００２】
生ごみを処理するために種々の装置が提案されているが、その一つとしてバイオ菌を利用したものがある。
この装置では、特許文献１に記載のように、処理槽に生ごみが投入されると、撹拌され、大きな生ごみは破砕され、混合されることで、バイオ菌の働きによる生ごみの分解が促進され、最終的には水と炭酸ガスに分解されて減量する仕組みになっている。
【先行技術文献】
【特許文献】
【０００３】
【特許文献１】特開２００６−３５０２３号公報
【発明の概要】
【発明が解決しようとする課題】
【０００４】
而して、生ごみが分解されて生成された汚水には、未だ、生ごみが多く含まれている。そのため、船舶や保育園などの小規模施設で利用した場合には、その汚水をそのまま下水道に流すと配管が詰まる恐れがある。また、ホテル、レストラン等の大規模施設で利用した場合には、浄化槽を付帯設備として使用する必要があるが、その浄化槽にかかる負担が大きくなり浄化能力が低下してしまう恐れがある。
【０００５】
そのため、汚水を希釈して槽外に押し出すことで下水道なり浄化槽に排出しており、大量の希釈水が必要であった。
また、汚水には多くのバイオ菌が含まれており、汚水を廃棄すれば、これらのバイオ菌も一緒に捨てられることになる。バイオ菌は処理槽内で繁殖するが、捨てたバイオ菌も未だ分解能力が十分にある。
更に、シャワー機能を稼働させて、槽内の水質環境を一定に維持しており、シャワー用にも大量の給水が必要であった。
【０００６】
そこで、本発明は、従来は排出していた汚水を、バイオ菌を残したまま水質環境の維持用に必要な水に生まれ変わらせた上で処理槽へ戻す、循環方式の生ごみ処理システムを提供することを、その目的とする。
【課題を解決するための手段】
【０００７】
本発明は上記課題を解決するためになされたものであり、請求項１の発明は、バイオ菌が収容された内部で、投入された生ごみが水をかけられながら撹拌されることで分解液化される分解処理槽と、前記分解処理槽から取り出された分解液が網状フィルターに掛けられて網上に残った残渣と網下分解液とに分離される分離部と、前記網下分解液が取り出され、前記分解処理槽に水かけ用に戻される戻し手段と、前記網下分解液の上澄みが排水用に取り出される排出部を備えることを特徴とする生ごみ処理システムである。
【０００８】
請求項２の発明は、請求項１に記載した生ごみ処理システムにおいて、分解処理槽は多くの通液スリットが形成された仕切り板を介して上下に区画され、上部にバイオチップが収容されており、前記上部に生ごみが投入されると、分解液が前記通液スリットを介して下部に落下するよう構成されており、給水により、前記下部に落下した前記分解液が希釈され分離部に向かって押し出されることを特徴とする生ごみ処理システムである。
【０００９】
請求項３の発明は、請求項１または２に記載した生ごみ処理システムにおいて、分離部の網状フィルターは容器状に構成され、且つ揺動可能に支持されており、揺動すると、残渣が残渣溜め部に落下して溜められることを特徴とする生ごみ処理システムである。
【００１０】
請求項４の発明は、請求項１から３のいずれかに記載した生ごみ処理システムにおいて、排出部には、左右方向に蛇行しながら上下方向に流通する蛇行流路が設けられていることを特徴とする生ごみ処理システムである。
【００１１】
請求項５の発明は、請求項１から４のいずれかに記載した生ごみ処理システムにおいて、分解処理槽と、分離部との間には、溜めタンクが介装されており、前記分解処理槽から分解液が取り出された後に前記溜めタンクに溜められ、前記溜めタンクから汲み上げられて前記分離部に移送されることを特徴とする生ごみ処理システムである。
【発明の効果】
【００１２】
本発明の生ごみ処理システムを用いると、バイオ菌が含まれた水を繰り返し使用でき、節水できるだけでなく、生ごみの分解能力を高めることができる。また、繰り返し分解処理に供されてある程度浄化が進んだ段階で下水道や浄化槽に排水することができる。
【図面の簡単な説明】
【００１３】
【図１】本発明の実施の形態に係る生ごみ処理システムの全体構成図である。
【図２】本発明の実施の形態に係る生ごみ処理システムの一部の概略的正面図である。
【図３】図１の残りの概略的正面図である。
【図４】図３の分離部の概略的断面図である。
【図５】図３の分離部の概略的斜視図である。
【図６】図３の分離部の残渣溜め部の概略的斜視図である。
【発明を実施するための形態】
【００１４】
本発明の実施の形態に係る生ごみ処理システムについて、図面にしたがって説明する。
図１では、生ごみ処理システムの全体が示されている。このうち、分解処理槽１が、図２で詳細に示されている。この分解処理槽１の本体は断面四角形の箱形のケーシング３で構成されている。このケーシング３の上面には投入口が設けられており、この投入口は蓋体５で開閉されるようになっている。この投入口から、生ごみが投入される。
ケーシング３の内部は、仕切り板７で上部９と下部１１に区画されている。この仕切り板７は湾曲して円弧状を為しており、左右方向から見ると上面が凹面になっている。この仕切り板７の凹底部には、多くの通液スリットが形成されている。
【００１５】
ケーシング３の下部１１の右側面部には、給水ホース１３の一端部が接続されている。この給水ホース１３の他端側は水道の蛇口（図示省略）に繋がれており、水道水（真水）が給水ホース１３を介してケーシング３の下部１１に供給される。そして、下部１１の左側面部には、移送ホース１５の一端部が接続されている。
一方、ケーシング３の上部９の左側面部には、戻しホース１７が接続されている。
ケーシング３の上部９には回転軸１９が左右方向に軸方向を合わせて通されており、モータ（図示省略）により軸回りに回転する。この回転軸１９には複数の撹拌羽根２１、２１、……が取付けられており、回転軸１９が回転すると、この撹拌羽根２１、２１、……の先端が仕切り板７の上面近くまで接近する。
【００１６】
ケーシング３の上部９に、バイオ菌が担持されたバイオチップが多数収容される。このバイオチップのサイズは仕切り板７の通液スリットを通り抜けることができないように調整されている。
ケーシング３の上部９に投入された生ごみは、回転している撹拌羽根２１、２１、……に当たって、大きなものは破砕され、バイオチップと一緒になって撹拌される。並行して、戻しホース１７から水もかけられる。このような環境下で、バイオ菌の働きにより生ごみの分解が効率良く促進されるようになっている。
【００１７】
生ごみの分解液化により分解液が生成されると、その分解液は仕切り板７の通液スリットを通り抜けて下部１１に落下する。
この落下した分解液には完全に液化せずに粒状になった生ごみがかなりの量含まれている。分解液は給水ホース１３から給水された水道水により希釈されると共に、給水の勢いを受けて、移送ホース１５側に押し出される。
【００１８】
図３では、分解処理槽１の付帯設備が詳細に示されている。
符号２３は溜めタンクを示す。この溜めタンク２３には、移送ホース１５の他端部が上側から入り込んでおり、希釈された分解液が溜まるようになっている。
溜めタンク２３には水中ポンプ（図示省略）が配設されており、この水中ポンプに接続された送液ホース２５の先端部２６が分離部２７に入り込んでいる。分解処理槽１の下部１１から分解液を取り出し、上方まで運ぶために、溜めタンク２３が利用されている。
【００１９】
分離部２７は、断面四角形の角筒状本体２９で外形が構成されており、正面部が背面部より下方に延びており、それに対応して、左右の側面部には段差が形成されている。そして、上側は全面的に開口され、下側は背面側が開口されて下側開口３１になっている。正面部にはアクリル製の透明な観察窓３３が配設されており、内部が観察できるようになっている。
図４に示すように、角筒状本体２９の奥側には、上方が開口した容器状の受け部３５が配置されている。この受け部３５は塵取り状に成形されており、正面部３７が傾斜している。そして、底面部が茶漉し網状のフィルター３９で構成されている。
【００２０】
受け部３５の左右の側面部の外面からはそれぞれ揺動軸４１、４１が外方に向かって突設されている。各揺動軸４１は角筒状本体２９の左右の側面部の溝３０を揺動可能に貫通しており、適宜な駆動手段（図示省略）に連結されて揺動するようになっている。
図５に示すように、受け部３５は底面部をなす網状フィルター３９が水平になったとき、すなわち板面が上下方向を向いたときに、その下方には角筒状本体２９の下側開口３１がくる。そして、その上方には、送液ホース２５が鉛直方向に延びており、その先端部２６が臨んでいる。これが受け部３５の分離処理姿勢になる。
【００２１】
揺動により、一点鎖線に示すように、網状フィルター３９が鉛直方向に傾いたときには、正面部３７の傾斜内面が滑り面となる。
符号４３は四角箱状の残渣溜め部を示しており、図６に示すように、この残渣溜め部４３の上面は無く全面開口している。そして、左右の側面部、背面部及び底面部はメッシュ材で構成されている。そして、正面部４５は通常のプレート材で構成されており、その上端縁に沿って、断面逆Ｊ字形の取手４７が連設されている。
【００２２】
この残渣溜め部４３は角筒状本体２９の正面側に配置されており、その正面部４５は、角筒状本体２９の正面部の開口を閉じるように表出している。そして、取手４７は角筒状本体２９の正面部よりも正面方向に突出している。角筒状本体２９の正面部の開口は残渣溜め部４３よりも上下方向の寸法が大きく設計されており、取手４７を持ち上げることにより、残渣溜め部４３は引出しのように引き出すことができる。
残渣溜め部４３の上方に、受け部３５の正面部３７の滑り面となった傾斜内面の端が臨んでいる。
【００２３】
分離部２７では、送液ホース２５の先端部２６から移送されてきた分解液が、分離処理姿勢で待機していた受け部３５の網状フィルター３９上に流下していき、網状フィルター３９に掛けられて残渣Ｓが網上に残され、残りは網目を通り抜けて更に流下する。
順次残渣Ｓは網上に堆積されていくが、適当な間隔で受け部３５が揺動するので、堆積した残渣Ｓは正面部３７の滑り面上を滑落して、残渣溜め部４３内に落下して溜められる。従って、生ごみを大量に連続的に分解処理槽１に投入しても、網状フィルター３９による分離性能は一定のレベルに維持される。
【００２４】
符号４９は上面が開口した断面四角形の中継タンクを示す。この中継タンク４９の正面部の縁に、分離部２７の下側の段差縁が載る形で、中継タンク４９に対して固定されている。従って、分離部２７の角筒状本体２９の下側開口３１と中継タンク４９の上側開口５１が上下方向で連通している。
中継タンク４９の下端部は漏斗状になっており、その底頂部に上記した戻しホース１７の他端部が接続されている。戻しホース１７には循環ポンプ１８が介装されている。従って、網下分解液がこの戻しホース１７を介して、分解処理槽１に投入された生ごみにかける水として使用される。このように、生ごみにかけられる水が循環するようになっており、節水できる。
【００２５】
上記の網下分解液は、水道水によって希釈されており、更に、残渣Ｓが取り除かれているので、これを生ごみにかける水として使用しても分解処理槽１の内部の水質基準を一定のレベルに維持できる。しかも、バイオ菌はそのまま残っているので、そのバイオ菌も生ごみの分解に無駄なく利用できるようになっており、従来の真水を流すタイプよりも、処理能力が向上する。
【００２６】
中継タンク４９には仕切り板５３が設けられている。仕切り板５３は下側が欠落しており、この欠落した部分を介して左右両側が連絡されている。
そして、中継タンク４９の左側面部の上側に中継パイプ５５の一端部が接続されている。仕切り板５３によって分離部２７側と分離された左区画の上澄みがこの中継パイプ５５から取り出されるようになっている。
中継タンク４９の左側には、排出タンク５７が配置されている。中継タンク４９の左側面部と排出タンク５７の右側面部とが合わされて一体化されて、汚水処理ピット５８が構成されている。この排出タンク５７にも、仕切り板５９、６１が設けられている。右側の仕切り板５９は上側が欠落しており、この欠落した部分を介して左右両側が連絡されている。左側の仕切り板６１は下側が欠落しており、この欠落した部分を介して左右両側が連絡されている。中継パイプ５５は途中で垂直に屈曲して下方に垂下されており、他端側は排出タンク５７内に仕切り板５９より右側の位置で入り込んでいる。すなわち、排出タンク５７の内部では、左右方向に蛇行しながら上下方向に流通する蛇行流路が形成されている。そして、排出タンク５７の左側の上部に排出パイプ６３の一端部が接続されている。この排出パイプ６３の一端部は垂下しており、途中で垂直に屈曲して水平に向きを変えて他端側に至っている。他端側が下水道や浄化槽に接続されるようになっている。
【００２７】
上記のように、排出部が、中継タンク４９〜中継パイプ５５〜排出タンク５７〜排出パイプ６３で構成されており、中継タンク４９から取り出された上澄みが、更に排出タンク５７の蛇行流路を経由することで、沈降性の高い汚濁物が排出タンク５７内に沈殿して残される。このようにある程度浄化したものが、最終的には排出タンク５７から下水道や浄化槽に排出されることになる。
【００２８】
また、順次残渣Ｓは残渣溜め部４３内に溜められていくが、残渣溜め部４３は引出しのように引き出すことができるので、溜まった残渣Ｓは別の回収箱に入れておくことができる。量が増えれば、固体燃料や肥料としての活用が考えられる。
更に、溜めタンク２３と汚水処理ピット５８（中継タンク４９及び排出タンク５７）と分解処理槽１とはホースで接続されているので、レイアウトを自在に設計できることから、分解処理槽１の周りの空いたスペースに溜めタンク２３と汚水処理ピット５８を設置することで省スペース化が図れる。
【００２９】
以上、本発明の実施の形態について詳述してきたが、具体的構成は、この実施の形態に限られるものではなく、本発明の要旨を逸脱しない範囲における設計の変更などがあっても発明に含まれる。
例えば、分解処理槽として、従来から、シャワー機能を稼働させて、真水を供給して槽内の水質環境を一定に維持するタイプのものが販売されており、既に設置されている箇所も多数ある。この既存の分解処理槽を現地改造して、溜めタンクと汚水処理ピットを後付けで取り付けて、本発明の生ごみ処理システムを構築することも可能である。
【符号の説明】
【００３０】
１…分解処理槽        ３…ケーシング      ５…蓋体              ７…仕切り板
９…上部            １１…下部          １３…給水ホース      １５…移送ホース
１７…戻しホース      １８…循環ポンプ    １９…回転軸          ２１…撹拌羽根
２３…溜めタンク      ２５…送液ホース    ２６…先端部          ２７…分離部
２９…角筒状本体      ３０…溝            ３１…下側開口        ３３…観察窓
３５…受け部          ３７…正面部        ３９…網状フィルター  ４１…揺動軸
４３…残渣溜め部      ４５…正面部        ４７…取手            ４９…中継タンク
５１…上側開口        ５３…仕切り板      ５５…中継パイプ      ５７…排出タンク
５８…汚水処理ピット  ５９…仕切り板      ６１…仕切り板        ６３…排出パイプ
Ｓ…残渣
【図１】
2020131168.tif 000003
【図２】
2020131168.tif 000004
【図３】
2020131168.tif 000005
【図４】
2020131168.tif 000006
【図５】
2020131168.tif 000007
【図６】
2020131168.tif 000008